(57)【要約】【課題】  WWWサーバーに撮影画像データを格納出来ないにも関わらず撮影出来てしまうといった従来の問題を解決するための撮像装置とWWWサーバー間のシステムを提供する。【解決手段】  画像情報管理装置と撮像装置が相互に通信可能に構成された撮像システムであって、前記撮像装置は、撮像手段と、前記画像情報管理装置から催し情報を受信する催し情報受信手段と、前記受信した催し情報に応じて撮影動作の制御を行う撮影制御手段と、前記撮像手段により撮影した画像を前記画像情報管理装置に送信する画像送信手段を有し、前記画像情報管理装置は、催し情報管理手段と、前記催し情報管理手段が備える催し情報を前記撮像装置に送信する催し情報送信手段と、前記催し情報管理手段が備える催し情報に応じて前記撮像装置から撮影画像を受信して格納する画像管理手段を有する。【選択図】  図１
2005167448.tif 000002
【特許請求の範囲】
【請求項１】
画像情報管理装置と撮像装置が相互に通信可能に構成された撮像システムであって、
前記撮像装置は、
撮像手段と、前記画像情報管理装置から催し情報を受信する催し情報受信手段と、前記受信した催し情報に応じて撮影動作の制御を行う撮影制御手段と、前記撮像手段により撮影した画像を前記画像情報管理装置に送信する画像送信手段を有し、
前記画像情報管理装置は、
催し情報管理手段と、前記催し情報管理手段が備える催し情報を前記撮像装置に送信する催し情報送信手段と、前記催し情報管理手段が備える催し情報に応じて前記撮像装置から撮影画像を受信して格納する画像管理手段を有することを特徴とする撮像システム。
【請求項２】
画像情報管理装置と撮像装置と情報処理装置が相互に通信可能に構成された撮像システムであって、
前記撮像装置は、
撮像手段と、前記画像情報管理装置から催し情報を受信する催し情報受信手段と、前記受信した催し情報に応じて撮影動作の制御を行う撮影制御手段と、前記撮像手段により撮影した画像を前記画像情報管理装置に送信する画像送信手段を有し、
前記画像情報管理装置は、
催し情報管理手段と、前記催し情報管理手段が備える催し情報を前記撮像装置に送信する催し情報送信手段と、前記催し情報管理手段が備える催し情報に応じて前記撮像装置から撮影画像を受信して格納する画像管理手段を有し、
前記情報処理装置は、
前記催し情報管理手段が備える催し情報を設定可能な催し情報設定手段を有することを特徴とする撮像システム。
【請求項３】
前記撮像装置は更に表示手段を備え、前記受信した催し情報に応じた前記撮像手段による撮影動作の制御状態を表示可能とすることを特徴とする請求項１乃至請求項２に記載の撮像システム。
【請求項４】
前記受信した催し情報に応じて行う撮影動作の制御が、前記撮像手段による撮影動作の許可或いは禁止であることを特徴とする請求項１乃至請求項３に記載の撮像システム。
【請求項５】
前記催し情報が、前記撮像手段による撮像許可情報或いは撮像禁止情報であることを特徴とする請求項１乃至請求項４に記載の撮像システム。
【請求項６】
前記催し情報が、前記催し情報管理手段が関わる画像の格納場所情報、及び或いは、前記撮影制御手段の撮影動作許可情報、及び或いは、画像の格納口座情報であることを特徴とする請求項１乃至請求項５に記載の撮像システム。
【請求項７】
画像情報管理装置と撮像装置が相互に通信可能に構成された撮像システムの制御方法であって、
前記撮像装置は、
撮像工程と、前記画像情報管理装置から催し情報を受信する催し情報受信工程と、前記受信した催し情報に応じて撮影動作の制御を行う撮影制御工程と、前記撮像工程により撮影した画像を前記画像情報管理装置に送信する画像送信工程を有し、
前記画像情報管理装置は、
催し情報管理工程と、前記催し情報管理工程が備える催し情報を前記撮像装置に送信する催し情報送信工程と、前記催し情報管理工程が備える催し情報に応じて前記撮像装置から撮影画像を受信して格納する画像管理工程を有することを特徴とする撮像システムの制御方法。
【請求項８】
画像情報管理装置と撮像装置と情報処理装置が相互に通信可能に構成された撮像システムの制御方法であって、
前記撮像装置は、
撮像工程と、前記画像情報管理装置から催し情報を受信する催し情報受信工程と、前記受信した催し情報に応じて撮影動作の制御を行う撮影制御工程と、前記撮像工程により撮影した画像を前記画像情報管理装置に送信する画像送信工程を有し、
前記画像情報管理装置は、
催し情報管理工程と、前記催し情報管理工程が備える催し情報を前記撮像装置に送信する催し情報送信工程と、前記催し情報管理工程が備える催し情報に応じて前記撮像装置から撮影画像を受信して格納する画像管理工程を有し、
前記情報処理装置は、前記催し情報管理工程が備える催し情報を設定可能な催し情報設定工程を有することを特徴とする撮像システムの制御方法。
【請求項９】
前記撮像装置は更に表示工程を備え、前記受信した催し情報に応じた前記撮像工程による撮影動作の制御状態を表示可能とすることを特徴とする請求項７乃至請求項８に記載の撮像システムの制御方法。
【請求項１０】
前記受信した催し情報に応じて行う撮影動作の制御が、前記撮像工程による撮影動作の許可或いは禁止であることを特徴とする請求項７乃至請求項９に記載の撮像システムの制御方法。
【請求項１１】
前記催し情報が、前記撮像工程による撮像許可情報或いは撮像禁止情報であることを特徴とする請求項７乃至請求項１０に記載の撮像システムの制御方法。
【請求項１２】
前記催し情報が、前記催し情報管理工程が関わる画像の格納場所情報、及び或いは、前記撮影制御工程の撮影動作許可情報、及び或いは、画像の格納口座情報であることを特徴とする請求項７乃至請求項１１に記載の撮像システムの制御方法。
【請求項１３】
画像情報管理装置と撮像装置が相互に通信可能に構成された撮像システムを制御する制御プログラムを格納した記憶媒体であって、該制御プログラムが、
前記撮像装置において、
撮像工程と、前記画像情報管理装置から催し情報を受信する催し情報受信工程と、前記受信した催し情報に応じて撮影動作の制御を行う撮影制御工程と、前記撮像工程により撮影した画像を前記画像情報管理装置に送信する画像送信工程と、
前記画像情報管理装置において、
催し情報管理工程と、前記催し情報管理工程が備える催し情報を前記撮像装置に送信する催し情報送信工程と、前記催し情報管理工程が備える催し情報に応じて前記撮像装置から撮影画像を受信して格納する画像管理工程と
のコードを具備することを特徴とする記憶媒体。
【請求項１４】
画像情報管理装置と撮像装置と情報処理装置が相互に通信可能に構成された撮像システムを制御する制御プログラムを格納した記憶媒体であって、該制御プログラムが、
前記撮像装置において、
撮像工程と、前記画像情報管理装置から催し情報を受信する催し情報受信工程と、前記受信した催し情報に応じて撮影動作の制御を行う撮影制御工程と、前記撮像工程により撮影した画像を前記画像情報管理装置に送信する画像送信工程と、
前記画像情報管理装置において、
催し情報管理工程と、前記催し情報管理工程が備える催し情報を前記撮像装置に送信する催し情報送信工程と、前記催し情報管理工程が備える催し情報に応じて前記撮像装置から撮影画像を受信して格納する画像管理工程と、
前記情報処理装置において、
前記催し情報管理工程が備える催し情報を設定可能な催し情報設定工程と
のコードを具備することを特徴とする記憶媒体。
【請求項１５】
前記撮像装置は更に表示工程を備え、前記受信した催し情報に応じた前記撮像工程による撮影動作の制御状態を表示可能とすることを特徴とする請求項１３乃至請求項１４に記載の記憶媒体。
【請求項１６】
前記受信した催し情報に応じて行う撮影動作の制御が、前記撮像工程による撮影動作の許可或いは禁止であることを特徴とする請求項１３乃至請求項１５に記載の記憶媒体。
【請求項１７】
前記催し情報が、前記撮像工程による撮像許可情報或いは撮像禁止情報であることを特徴とする請求項１３乃至請求項１６に記載の記憶媒体。
【請求項１８】
前記催し情報が、前記催し情報管理工程が関わる画像の格納場所情報、及び或いは、前記撮影制御工程の撮影動作許可情報、及び或いは、画像の格納口座情報であることを特徴とする請求項１３乃至請求項１７に記載の記憶媒体。
【請求項１９】
画像情報管理装置と通信可能に構成された撮像装置であって、
撮像手段と、前記画像情報管理装置から催し情報を受信する催し情報受信手段と、前記受信した催し情報に応じて撮影動作の制御を行う撮影制御手段と、前記撮像手段により撮影した画像を前記画像情報管理装置に送信する画像送信手段を有することを特徴とする撮像装置。
【請求項２０】
画像情報管理装置と情報処理装置と通信可能に構成された撮像装置であって、
撮像手段と、前記情報処理装置により設定された催し情報を前記画像情報管理装置から受信する催し情報受信手段と、前記受信した催し情報に応じて撮影動作の制御を行う撮影制御手段と、前記撮像手段により撮影した画像を前記画像情報管理装置に送信する画像送信手段を有することを特徴とする撮像装置。
【請求項２１】
前記撮像装置は更に表示手段を備え、前記受信した催し情報に応じた前記撮像手段による撮影動作の制御状態を表示可能とすることを特徴とする請求項１９乃至請求項２０に記載の撮像装置。
【請求項２２】
前記受信した催し情報に応じて行う撮影動作の制御が、前記撮像手段による撮影動作の許可或いは禁止であることを特徴とする請求項１９乃至請求項２１に記載の撮像装置。
【請求項２３】
前記催し情報が、前記撮像手段による撮像許可情報或いは撮像禁止情報であることを特徴とする請求項１９乃至請求項２２に記載の撮像装置。
【請求項２４】
前記催し情報が、前記画像情報管理装置が関わる画像の格納場所情報、及び或いは、前記撮影制御手段の撮影動作許可情報、及び或いは、前記画像情報管理装置に送信する画像の格納口座情報であることを特徴とする請求項１９乃至請求項２３に記載の撮像装置。
【請求項２５】
画像情報管理装置と通信可能に構成された撮像装置の制御方法であって、
撮像工程と、前記画像情報管理装置から催し情報を受信する催し情報受信工程と、前記受信した催し情報に応じて撮影動作の制御を行う撮影制御工程と、前記撮像工程により撮影した画像を前記画像情報管理装置に送信する画像送信工程を有することを特徴とする撮像装置の制御方法。
【請求項２６】
画像情報管理装置と情報処理装置と通信可能に構成された撮像装置の制御方法であって、
撮像工程と、前記情報処理装置により設定された催し情報を前記画像情報管理装置から受信する催し情報受信工程と、前記受信した催し情報に応じて撮影動作の制御を行う撮影制御工程と、前記撮像工程により撮影した画像を前記画像情報管理装置に送信する画像送信工程を有することを特徴とする撮像装置の制御方法。
【請求項２７】
前記撮像装置は更に表示工程を備え、前記受信した催し情報に応じた前記撮像工程による撮影動作の制御状態を表示可能とすることを特徴とする請求項２５乃至請求項２６に記載の撮像装置の制御方法。
【請求項２８】
前記受信した催し情報に応じて行う撮影動作の制御が、前記撮像工程による撮影動作の許可或いは禁止であることを特徴とする請求項２５乃至請求項２７に記載の撮像装置の制御方法。
【請求項２９】
前記催し情報が、前記撮像工程による撮像許可情報或いは撮像禁止情報であることを特徴とする請求項２５乃至請求項２８に記載の撮像装置の制御方法。
【請求項３０】
前記催し情報が、前記画像情報管理装置が関わる画像の格納場所情報、及び或いは、前記撮影制御工程の撮影動作許可情報、及び或いは、前記画像情報管理装置に送信する画像の格納口座情報であることを特徴とする請求項２５乃至請求項２９に記載の撮像装置の制御方法。
【請求項３１】
画像情報管理装置と通信可能に構成された撮像装置を制御する制御プログラムを格納した記憶媒体であって、該制御プログラムが、
撮像工程と、前記画像情報管理装置から催し情報を受信する催し情報受信工程と、前記受信した催し情報に応じて撮影動作の制御を行う撮影制御工程と、前記撮像工程により撮影した画像を前記画像情報管理装置に送信する画像送信工程と
のコードを具備することを特徴とする記憶媒体。
【請求項３２】
画像情報管理装置と情報処理装置と通信可能に構成された撮像装置を制御する制御プログラムを格納した記憶媒体であって、該制御プログラムが、
撮像工程と、前記情報処理装置により設定された催し情報を前記画像情報管理装置から受信する催し情報受信工程と、前記受信した催し情報に応じて撮影動作の制御を行う撮影制御工程と、前記撮像工程により撮影した画像を前記画像情報管理装置に送信する画像送信工程と
のコードを具備することを特徴とする記憶媒体。
【請求項３３】
前記撮像装置は更に表示工程を備え、前記受信した催し情報に応じた前記撮像工程による撮影動作の制御状態を表示可能とすることを特徴とする請求項３１乃至請求項３２に記載の記憶媒体。
【請求項３４】
前記受信した催し情報に応じて行う撮影動作の制御が、前記撮像工程による撮影動作の許可或いは禁止であることを特徴とする請求項３１乃至請求項３３に記載の記憶媒体。
【請求項３５】
前記催し情報が、前記撮像工程による撮像許可情報或いは撮像禁止情報であることを特徴とする請求項３１乃至請求項３４に記載の記憶媒体。
【請求項３６】
前記催し情報が、前記画像情報管理装置が関わる画像の格納場所情報、及び或いは、前記撮影制御工程の撮影動作許可情報、及び或いは、前記画像情報管理装置に送信する画像の格納口座情報であることを特徴とする請求項３１乃至請求項３５に記載の記憶媒体。
【請求項３７】
撮像装置と通信可能に構成された画像情報管理装置であって、
催し情報管理手段と、前記催し情報管理手段が備える催し情報を前記撮像装置に送信する催し情報送信手段と、前記催し情報管理手段が備える催し情報に応じて前記撮像装置から撮影画像を受信して格納する画像管理手段を有することを特徴とする画像情報管理装置。
【請求項３８】
撮像装置と情報処理装置と通信可能に構成された画像情報管理装置であって、
前記情報処理装置により設定された催し情報を管理する催し情報管理手段と、前記催し情報管理手段が備える催し情報を前記撮像装置に送信する催し情報送信手段と、前記催し情報管理手段が備える催し情報に応じて前記撮像装置から撮影画像を受信して格納する画像管理手段を有することを特徴とする画像情報管理装置。
【請求項３９】
前記催し情報が、前記撮像装置の動作に関する撮像許可情報或いは撮像禁止情報であることを特徴とする請求項３７乃至請求項３８に記載の画像情報管理装置。
【請求項４０】
前記催し情報が、前記催し情報管理手段が関わる画像の格納場所情報、及び或いは、前記撮像装置に関する撮影動作許可情報、及び或いは、前記撮像装置から送信された画像の格納口座情報であることを特徴とする請求項３７乃至請求項３９に記載の画像情報管理装置。
【請求項４１】
撮像装置と通信可能に構成された画像情報管理装置の制御方法であって、
催し情報管理工程と、前記催し情報管理工程が備える催し情報を前記撮像装置に送信する催し情報送信工程と、前記催し情報管理工程が備える催し情報に応じて前記撮像装置から撮影画像を受信して格納する画像管理工程を有することを特徴とする画像情報管理装置の制御方法。
【請求項４２】
撮像装置と情報処理装置と通信可能に構成された画像情報管理装置の制御方法であって、
前記情報処理装置により設定された催し情報を管理する催し情報管理工程と、前記催し情報管理工程が備える催し情報を前記撮像装置に送信する催し情報送信工程と、前記催し情報管理工程が備える催し情報に応じて前記撮像装置から撮影画像を受信して格納する画像管理工程を有することを特徴とする画像情報管理装置の制御方法。
【請求項４３】
前記催し情報が、前記撮像装置の動作に関する撮像許可情報或いは撮像禁止情報であることを特徴とする請求項４１乃至請求項４２に記載の画像情報管理装置の制御方法。
【請求項４４】
前記催し情報が、前記催し情報管理工程が関わる画像の格納場所情報、及び或いは、前記撮像装置に関する撮影動作許可情報、及び或いは、前記撮像装置から送信された画像の格納口座情報であることを特徴とする請求項４１乃至請求項４３に記載の画像情報管理装置の制御方法。
【請求項４５】
撮像装置と通信可能に構成された画像情報管理装置を制御する制御プログラムを格納した記憶媒体であって、該制御プログラムが、
催し情報管理工程と、前記催し情報管理工程が備える催し情報を前記撮像装置に送信する催し情報送信工程と、前記催し情報管理工程が備える催し情報に応じて前記撮像装置から撮影画像を受信して格納する画像管理工程と
のコードを具備することを特徴とする記憶媒体。
【請求項４６】
撮像装置と情報処理装置と通信可能に構成された画像情報管理装置を制御する制御プログラムを格納した記憶媒体であって、該制御プログラムが、
前記情報処理装置により設定された催し情報を管理する催し情報管理工程と、前記催し情報管理工程が備える催し情報を前記撮像装置に送信する催し情報送信工程と、前記催し情報管理工程が備える催し情報に応じて前記撮像装置から撮影画像を受信して格納する画像管理工程と
のコードを具備することを特徴とする記憶媒体。
【請求項４７】
前記催し情報が、前記撮像装置の動作に関する撮像許可情報或いは撮像禁止情報であることを特徴とする請求項４５乃至請求項４６に記載の記憶媒体。
【請求項４８】
前記催し情報が、前記催し情報管理工程が関わる画像の格納場所情報、及び或いは、前記撮像装置に関する撮影動作許可情報、及び或いは、前記撮像装置から送信された画像の格納口座情報であることを特徴とする請求項４５乃至請求項４７に記載の記憶媒体。
【発明の詳細な説明】
【技術分野】
【０００１】
本発明は、静止画像や動画像を撮像、記憶、通信、記録、再生する撮像システム及びその制御方法及び記憶媒体に関する。
【背景技術】
【０００２】
従来、固体メモリ素子を有するメモリカードを記録媒体として、静止画像や動画像を記録、再生、通信する電子カメラ等の撮像装置は既に市販されており、また、撮影した画像をインターネット等の広域ネットワークに接続されたWWWサーバーに撮像装置から送信して格納し、WWWサーバー上で広く公開する撮像システムも構築されている。また、WWWサーバーにより撮像装置から送信した撮影画像データの格納可否を管理することが可能であり、許可されたクライアントからのみWWWサーバーにアクセス可能なシステムが提供されている。なお、このような撮像装置とネットワーク間のシステムは、例えば特許文献1などに開示されている。
【特許文献１】特開2003-18523号公報
【発明の開示】
【発明が解決しようとする課題】
【０００３】
このような従来の撮像システムにおいては、WWWサーバーにおいて、撮像装置からの接続許可/禁止、及び或いは、撮像装置から送信した画像データの格納許可/禁止を行うだけであったので、撮像装置からWWWサーバーに接続禁止状態である及び或いは撮像装置からWWWサーバーへの画像データの格納禁止状態であるにも関わらず、撮像装置において撮影が可能であったため、WWWサーバーに撮影画像データを格納出来ないにも関わらず撮影出来てしまうという問題があった。
【０００４】
この場合、WWWサーバーに格納するために撮影した画像データが無駄になってしまうという問題があった。
【０００５】
本発明は上記の如き問題を解決することを目的として成されたものである。
【課題を解決するための手段】
【０００６】
上記目的を達成するため、請求項１記載の発明は、画像情報管理装置と撮像装置が相互に通信可能に構成された撮像システムであって、前記撮像装置は、撮像手段と、前記画像情報管理装置から催し情報を受信する催し情報受信手段と、前記受信した催し情報に応じて撮影動作の制御を行う撮影制御手段と、前記撮像手段により撮影した画像を前記画像情報管理装置に送信する画像送信手段を有し、前記画像情報管理装置は、催し情報管理手段と、前記催し情報管理手段が備える催し情報を前記撮像装置に送信する催し情報送信手段と、前記催し情報管理手段が備える催し情報に応じて前記撮像装置から撮影画像を受信して格納する画像管理手段を有することを特徴とする。
【発明の効果】
【０００７】
本発明によれば、WWWサーバーに撮影画像データを格納出来ないにも関わらず撮影出来てしまうといった従来の問題点を解消した撮像システム及びその制御方法及び記憶媒体を提供することができ、WWWサーバーに格納するために撮影した画像データを無駄にすることがなくなる。
【発明を実施するための最良の形態】
【０００８】
以下、図面を参照しながら本発明の実施の形態を詳細に説明する。
【０００９】
図１は、本発明の第1の実施例における全体システム構成を示す図である。
【００１０】
１００は通信手段１１０(不図示)及びアンテナ１１２を有する電子カメラ等の撮像装置である。
【００１１】
４００は画像ゲートウェイ等の画像情報管理装置、５００は通常ユーザが使用するクライアントコンピュータ或いは携帯情報機器、携帯電話等の情報処理装置、８００は印刷装置(プリントサービス)である。
【００１２】
６００はインターネット、６０２はインターネットと画像情報管理装置(画像ゲートウェイ)４００を接続するネットワーク、６０４はインターネットと情報処理装置(クライアントコンピュータ)５００を接続するネットワーク、６０６はインターネットと印刷装置(プリントサービス)８００を接続するネットワーク、６１０及び６２０は、インターネットに接続され、各種コンテンツ情報を格納配布するWWWサーバー、７００は電話基地局等の携帯電話網を含むパケット網、７０２はパケット網７００と画像情報管理装置(画像ゲートウェイ)４００を接続するネットワークである。
【００１３】
上記構成を詳述すると、撮像装置１００は、パケット網７００、ネットワーク７０２、画像情報管理装置４００、ネットワーク６０２、インターネット６００を介して、WWWサーバー６１０或いはWWWサーバー６２０或いは情報処理装置５００或いは印刷装置８００等の各種ネットワーク機器と画像やコマンドの送受をすることが可能に構成されている。
【００１４】
これにより、印刷装置（プリントサービス）８００は、撮像装置１００から、パケット網７００、ネットワーク７０２、画像情報管理装置(画像ゲートウェイ)４００、ネットワーク６０２、インターネット６００、ネットワーク６０６を介して送信された画像データを印刷し、宅配便等の物流手段により撮像装置１００の所有者に印刷した写真プリントを届けることが可能である。
【００１５】
また、情報処理装置(クライアントコンピュータ)５００は、撮像装置１００から、パケット網７００、ネットワーク７０２、画像情報管理装置(画像ゲートウェイ)４００、ネットワーク６０２、インターネット６００、ネットワーク６０４を介して送信された画像データを受け取ることが可能である。
【００１６】
＜撮像装置１００の構成説明＞
次に、図２を用いて、前述した撮像装置１００について説明する。
【００１７】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１８】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１９】
２０は画像処理回路であり、Ａ／Ｄ変換器１６からのデータ或いはメモリ制御回路２２からのデータに対して所定の画素補間処理や色変換処理を行う。
【００２０】
また、画像処理回路２０においては、撮像した画像データを用いて所定の演算処理を行い、得られた演算結果に基づいてシステム制御回路５０が露光制御手段４０、測距制御手段４２に対して制御を行う、TTL（スルー・ザ・レンズ）方式のAF（オートフォーカス）処理、AE（自動露出）処理、ＥＦ（フラッシュプリ発光）処理を行っている。
【００２１】
さらに、画像処理回路２０においては、撮像した画像データを用いて所定の演算処理を行い、得られた演算結果に基づいてTTL方式のAWB（オートホワイトバランス）処理も行っている。
【００２２】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２３】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２４】
２４は画像表示メモリ、２６はＤ／Ａ変換器、２８はTFT LCD等から成る画像表示部であり、画像表示メモリ２４に書き込まれた表示用の画像データはＤ／Ａ変換器２６を介して画像表示部２８により表示される。
【００２５】
画像表示部２８を用いて撮像した画像データを逐次表示すれば、電子ファインダー機能を実現することが可能である。
【００２６】
また、画像表示部２８は、システム制御回路５０の指示により任意に表示をON/OFFすることが可能であり、表示をOFFにした場合には撮像装置１００の電力消費を大幅に低減することが出来る。
【００２７】
３０は撮影した静止画像や動画像を格納するためのメモリであり、所定枚数の静止画像や所定時間の動画像を格納するのに十分な記憶量を備えている。
【００２８】
これにより、複数枚の静止画像を連続して撮影する連写撮影やパノラマ撮影の場合にも、高速かつ大量の画像書き込みをメモリ３０に対して行うことが可能となる。
【００２９】
また、メモリ３０はシステム制御回路５０の作業領域としても使用することが可能である。
【００３０】
３２は適応離散コサイン変換（ＡＤＣＴ）、ウェーブレット変換等により画像データを圧縮伸長する圧縮・伸長回路であり、メモリ３０に格納された画像を読み込んで圧縮処理或いは伸長処理を行い、処理を終えたデータをメモリ３０に書き込む。
【００３１】
３４は暗号/復号回路であり、撮影してメモリ３０の所定領域に記憶した画像データに対して必要に応じて暗号化処理を行うと共に、暗号化処理を行ってメモリ３０の所定領域に記憶した画像データを再生表示する際に復号化処理を行う。
なお、暗号化処理を行った画像データは、画像情報管理装置（画像ゲートウェイ）４００の備える暗号/復号手段４２２においても復号することが出来る。
【００３２】
これらの暗号/復号処理動作は、後述する画像情報管理装置（画像ゲートウェイ）４００の備える課金管理手段４２０での課金データベース情報と連携して実行される。
【００３３】
３６は課金管理手段で、撮影処理の実行及び或いは画像情報管理装置（画像ゲートウェイ）４００への画像データの送信及び或いは画像情報管理装置（画像ゲートウェイ）４００からの画像データの受信に応じて、課金情報の更新管理を必要に応じて行うことが出来る。
【００３４】
４０は絞り機能を備えるシャッター１２を制御する露光制御手段であり、フラッシュ４８と連携することによりフラッシュ調光機能も有するものである。
【００３５】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００３６】
４８はフラッシュであり、AF補助光の投光機能、フラッシュ調光機能も有する。
露光制御手段４０、測距制御手段４２はTTL方式を用いて制御されており、撮像した画像データを画像処理回路２０によって演算した演算結果に基づき、システム制御回路５０が露光制御手段４０、測距制御手段４２に対して制御を行う。
【００３７】
５０は撮像装置１００全体を制御するシステム制御回路、５２はシステム制御回路５０の動作用の定数、変数、プログラム等を記憶するメモリである。
【００３８】
５４はシステム制御回路５０でのプログラムの実行に応じて、文字、画像、音声等を用いて動作状態やメッセージ等を表示する液晶表示装置、スピーカー等の表示部であり、撮像装置１００の操作部近辺の視認し易い位置に単数或いは複数個所設置され、例えばLCDやLED、発音素子等の組み合わせにより構成されている。
【００３９】
また、表示部５４は、その一部の機能が光学ファインダー１０４内に設置されている。
【００４０】
表示部５４の表示内容のうち、LCD等に表示するものとしては、例えば、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信I/F動作表示、日付け・時刻表示、外部コンピュータとの接続状態を示す表示、等がある。
【００４１】
また、表示部５４の表示内容のうち、光学ファインダー１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示、等がある。
【００４２】
さらに、表示部５４の表示内容のうち、LED等に表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示、等がある。
【００４３】
そして、表示部５４の表示内容のうち、ランプ等に表示するものとしては、例えば、セルフタイマー通知ランプ、等がある。このセルフタイマー通知ランプは、AF補助光と共用して用いても良い。
【００４４】
５６は電気的に消去・記録可能な不揮発性メモリであり、例えばEEPROM、フラッシュメモリ等が用いられる。
【００４５】
５８は識別情報で、通信手段１１０、アンテナ１１２、パケット網７００、ネットワーク７０２を介して画像情報管理装置（画像ゲートウェイ）４００と通信を行う際に認証を行うため及び或いは撮影画像データの格納/取り出しを行う際に課金管理を行うための各種識別情報が格納されている。
【００４６】
これらの識別情報は、画像情報管理装置（画像ゲートウェイ）４００において、撮像装置１００に対して各種サービスを行う際の課金情報データベースを更新する際に用いられる。
【００４７】
６０、６２、６４、７０及び７２は、システム制御回路５０の各種の動作指示を入力するための操作手段であり、スイッチやダイアル、タッチパネル、視線検知によるポインティング、音声認識装置等の単数或いは複数の組み合わせで構成される。
【００４８】
ここで、これらの操作手段の具体的な説明を行う。
【００４９】
６０は電源スイッチ（メインスイッチ）で、画像処理装置１００の電源オン、電源オフの各モードを切り替え設定することが出来る。また、画像処理装置１００に接続された各種付属装置の電源オン、電源オフの設定も合わせて切り替え設定することが出来る。
【００５０】
６２はシャッタースイッチSW1で、不図示のシャッターボタンの操作途中でONとなり、AF（オートフォーカス）処理、AE（自動露出）処理、AWB（オートホワイトバランス）処理、ＥＦ（フラッシュプリ発光）処理等の動作開始を指示する。
６４はシャッタースイッチSW2で、不図示のシャッターボタンの操作完了でONとなり、撮像素子１２から読み出した信号をＡ／Ｄ変換器１６、メモリ制御回路２２を介してメモリ30に画像データを書き込む露光処理、画像処理回路２０やメモリ制御回路２２での演算を用いた現像処理、メモリ３０から画像データを読み出し、圧縮・伸長回路３２で圧縮を行い、記録媒体２００に画像データを書き込む記録処理という一連の処理の動作開始を指示する。
【００５１】
７０は各種ボタンやタッチパネル等からなる操作部で、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン、画像表示ON/OFFボタン、圧縮モードスイッチ、撮影直後に撮影した画像データを画像表示部２８を用いて自動再生表示するクイックレビュー機能を設定するクイックレビュースイッチ、撮影及び或いは再生及び或いは通信を実行する際に各種機能の選択及び切り替えを設定する選択/切り替えスイッチ、撮影及び或いは再生及び或いは通信を実行する際に各種機能の決定及び実行を設定する決定/実行スイッチ等がある。
【００５２】
なお、圧縮モードスイッチにおいては、JPEG（Joint Photographic Expert Gpoup）圧縮の圧縮率を選択するため、或いは撮像素子の信号をそのままディジタル化して記録媒体に記録するCCDRAWモードを選択するためのスイッチである。
【００５３】
JPEG圧縮のモードは、例えばノーマルモードとファインモードが用意されている。
【００５４】
撮像装置１００の利用者は、撮影した画像のデータサイズを重視する場合はノーマルモードを、撮影した画像の画質を重視する場合はファインモードを、それぞれ選択して撮影を行うことが出来る。
【００５５】
JPEG圧縮のモードに於いては、撮像素子１４から読み出されてＡ／Ｄ変換器１６、画像処理回路２０、メモリ制御回路２２を介して、メモリ３０に書き込まれた画像データを読み出し、圧縮・伸長回路３２により設定した圧縮率に圧縮し、必要に応じて暗号/復号回路３４により所定の暗号化処理を行った後、記録媒体２００に記録を行う。
【００５６】
CCDRAWモードでは、撮像素子１４の色フィルタの画素配列に応じて、ライン毎にそのまま画像データを読み出して、Ａ／Ｄ変換器１６、メモリ制御回路２２を介して、メモリ３０に書き込まれた画像データを読み出し、必要に応じて暗号/復号回路３４により所定の暗号化処理を行った後、記録媒体２００に記録を行う。
【００５７】
７２はモードダイアルスイッチで、自動撮影モード、撮影モード、パノラマ撮影モード、再生モード、マルチ画面再生・消去モード、PC接続モード等の各機能モードを切り替え設定することが出来る。
【００５８】
なお、本実施例の説明においては、特に、撮影モード、再生・通信モードを撮像装置１００が備える構成としている。
【００５９】
８０は電源制御手段で、電池検出回路、DC-DCコンバータ、通電するブロックを切り替えるスイッチ回路等により構成されており、電池の装着の有無、電池の種類、電池残量の検出を行い、検出結果及びシステム制御回路５０の指示に基づいてDC-DCコンバータを制御し、必要な電圧を必要な期間、記録媒体を含む各部へ供給する。
【００６０】
８２はコネクタ、８４はコネクタ、８６はアルカリ電池やリチウム電池等の一次電池やNiCd電池やNiMH電池、Li-ion電池等の二次電池、ACアダプター等からなる電源手段である。
【００６１】
１０２は、撮像装置１００のレンズ１０を含む撮像部を覆う事により、撮像部の汚れや破損を防止するバリアである保護手段である。
【００６２】
１０４は光学ファインダであり、画像表示部２８による電子ファインダー機能を使用すること無しに、光学ファインダのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００６３】
１１０は通信手段で、TDMA(Time Division Multiple Access)方式やCDMA(Code Division Multiple Access)方式、W-CDMA(Wideband Code Division Multiple Access)方式、PHS(Personal Handyphone System)方式等の携帯電話通信機能を有する。
【００６４】
１１２はアンテナ(或いはコネクタ)で、通信手段１１０により撮像装置１００を、パケット網７００、ネットワーク７０２を介して画像情報管理装置（画像ゲートウェイ）４００と接続する、更には、ネットワーク６０２、インターネット６００を介して他の機器と接続する際のアンテナ或いは有線通信の場合はコネクタである。
【００６５】
＜画像情報管理装置４００の構成説明＞
次に、図８を用いて、前述した画像情報管理装置（画像ゲートウェイ）４００について説明する。
【００６６】
４０２は画像情報管理装置（画像ゲートウェイ）全体の制御をつかさどる制御手段である。
【００６７】
４０４は記憶手段で、制御手段４０２が各種アプリケーション等を実行する主記憶メモリである。一般的には、SDRAM、RDRAM等が用いられる。
【００６８】
４０６は、液晶表示装置、スピーカー等により構成される表示手段で、制御手段４０２でのプログラム実行に応じて必要な文字、画像、音声等の表示を行う。
【００６９】
４０８は、キーボード、マイク等により構成される操作手段で、画像情報管理装置（画像ゲートウェイ）４００の動作に必要な各種の設定の入力、及び或は、制御手段４０２に対する各種動作指示の入力を行う。
【００７０】
４１０は、制御手段４０２が動作を行う上での複数のアプリケーションを蓄積しておく記録手段で、前述の制御手段４０２の管理下にあるものである。
【００７１】
一般的には、ハードディスク等が用いられる。
【００７２】
４１２はバスで、制御手段４０２、記憶手段４０４、表示手段４０６、操作手段４０８、記録手段４１０、通信手段４１４、通信手段４１６、画像格納手段４１８、課金管理手段４２０とを接続し、制御手段４０２が処理したデータを各ユニットに転送したり、各ユニット間同士でデータを高速に転送（DMA転送）するためのものである。
【００７３】
４１４は画像情報管理装置（画像ゲートウェイ）４００をネットワーク７０２に接続するためのネットワーク手段で、ネットワークとのデータの送受信を行うためのものである。接続するネットワークは、一般的には、イーサネット（登録商標）等があげられる。画像情報管理装置（画像ゲートウェイ）４００は、ネットワーク手段４１４、ネットワーク７０２を介して、電話基地局等の携帯電話網を含むパケット網７００に接続することが可能である。
【００７４】
４１６は画像情報管理装置（画像ゲートウェイ）４００をネットワーク６０２に接続するためのネットワーク手段で、ネットワークとのデータの送受信を行うためのものである。接続するネットワークは、一般的には、イーサネット（登録商標）等があげられる。画像情報管理装置（画像ゲートウェイ）４００は、ネットワーク手段４１６、ネットワーク６０２を介して、インターネット６００に接続することが可能である。
【００７５】
４１８は画像格納手段で、撮像装置１００から送信された撮影画像データを、パケット網７００、ネットワーク７０２、通信手段４１４、バス４１２を介して、所定領域に順次格納することが可能である。
【００７６】
また、撮像装置１００及び或いは情報処理装置（クライアントコンピュータ或いは携帯情報機器或いは携帯電話等）５００からの依頼に応じて、画像格納手段４１８の所定領域に格納された撮影画像データを順次読出し、バス４１２、通信手段４１４、ネットワーク７０２、パケット網７００を介して、或いは、バス４１２、通信手段４１６、ネットワーク６０２、インターネット６００を介して、送付することが可能である。
【００７７】
なお、画像格納手段４１８での画像データの格納/取り出し動作は、課金管理手段４２０での課金データベース情報の管理動作と連携して実行される。
【００７８】
４２０は課金手段で、撮像装置１００で撮影された画像データを画像格納手段４１８に格納する及び或いは画像格納手段４１８に格納された画像データを取り出す際に、画像データを格納する及び或いは取り出す機器（撮像装置１００及び或いは情報処理装置５００）の識別認証を行い、認証結果と前記画像データの格納/取り出し動作に応じて、課金手段４２０が備える課金データベースの更新管理を行うことが出来る。
【００７９】
そして、撮像装置１００及び或いは情報処理装置５００に課金を行うための課金識別情報を登録するために、撮像装置１００及び或いは情報処理装置５００から送信された識別情報を元に、課金手段４２０が備える課金データベースを更新することが出来る。
【００８０】
また、課金手段４２０は、画像格納手段４１８から読み出した画像データを印刷装置(プリントサービス)８００に送付して印刷装置(プリントサービス)８００が備える印刷手段８２０により印刷する際に、印刷装置(プリントサービス)８００と相互に識別認証を行い、認証結果と前記印刷装置(プリントサービス)８００による画像データの印刷動作に応じて、課金手段４２０が備える課金データベースの更新管理を行うことが出来る。
【００８１】
そして、課金手段４２０は、印刷装置(プリントサービス)８００が備える課金手段８２８との間で、課金情報を相互に更新管理することが出来る。
【００８２】
なお、他のWWWサーバー６１０、６２０等からも画像データの格納及び或いは取り出しが可能な構成として識別認証を行い、認証結果とこれら画像データの格納/取り出し動作に応じて、課金手段４２０が備える課金データベースの更新管理を行うことも可能である。
【００８３】
更に、他のWWWサーバー６１０、６２０等と課金データベースの情報共有を行う構成としても良い。
【００８４】
また、課金手段４２０は、撮像装置１００から送付された撮像装置１００のユーザー登録情報を格納し、登録したユーザー情報に応じて、拡張機能プログラム格納手段４２４から撮像装置１００に各種拡張機能を提供することが出来る。
【００８５】
４２２は暗号/復号手段で、撮像装置１００及び或いは情報処理装置５００から送信された画像データに対して、必要に応じて暗号化処理或いは復号化処理を行うことが出来る。
【００８６】
これらの暗号/復号処理動作は、課金管理手段４２０での課金データベース情報と連携して実行される。
【００８７】
なお、暗号化処理を行った画像データは、撮像装置１００の備える暗号/復号回路３４においても復号することが可能である。この場合も、課金管理手段４２０での課金データベース情報と連携して復号処理が実行される。
【００８８】
４２４は催し情報管理手段で、情報処理装置（クライアントコンピュータ）５００から画像情報管理装置（画像ゲートウェイ）４００に通知登録された催し設定情報に応じて、画像情報管理装置（画像ゲートウェイ）４００が撮像装置１００に催し開始通知或いは催し終了通知を行うと共に撮像装置１００から送信される画像データの格納を許可或いは禁止する機能を提供することが出来る。
【００８９】
なお、情報処理装置（クライアントコンピュータ）５００から画像情報管理装置（画像ゲートウェイ）４００に通知登録された催し設定情報としては、送信される画像データの格納場所情報、送信される画像データの格納許可期間情報、送信する画像データの格納許可/禁止を判断するための許可アカウント情報、などがある。
【００９０】
＜情報処理装置５００の構成説明＞
次に、図１０を用いて、前述した情報処理装置５００について説明する。
【００９１】
５０２は画像情報管理装置全体の制御をつかさどる制御手段である。
【００９２】
５０４は記憶手段で、制御手段５０２が各種アプリケーション等を実行する主記憶メモリである。一般的には、SDRAM、RDRAM等が用いられる。
【００９３】
５０６は、液晶表示装置、スピーカー等により構成される表示手段で、制御手段５０２でのプログラム実行に応じて必要な文字、画像、音声等の表示を行う。
【００９４】
５０８は、キーボード、マイク等により構成される操作手段で、情報処理装置５００の動作に必要な各種の設定の入力、及び或は、制御手段５０２に対する各種動作指示の入力を行う。
【００９５】
５１０は、制御手段５０２が動作を行う上での複数のアプリケーションを蓄積しておく記録手段で、前述の制御手段５０２の管理下にあるものである。
一般的には、ハードディスク等が用いられる。
【００９６】
５１２はバスで、制御手段５０２、記憶手段５０４、表示手段５０６、操作手段５０８、記録手段５１０、通信手段５１４、通信手段５１６、印刷手段５１８とを接続し、制御手段５０２が処理したデータを各ユニットに転送したり、各ユニット間同士でデータを高速に転送（DMA転送）するためのものである。
【００９７】
５１４は情報処理装置５００をネットワーク６０４に接続するためのネットワーク手段で、ネットワークとのデータの送受信を行うためのものである。接続するネットワークは、一般的には、イーサネット（登録商標）等があげられる。情報処理装置５００は、ネットワーク手段５１４、ネットワーク６０４を介して、インターネット６００に接続することが可能である。
【００９８】
５１６は暗号/復号手段で、撮像装置１００及び或いは画像情報管理装置４００から送信された画像データに対して、或いは印刷装置８００に対して送信する画像データに対して、必要に応じて暗号化処理或いは復号化処理を行うことが出来る。
【００９９】
これらの暗号/復号処理動作は、画像情報管理装置(画像ゲートウェイ)４００が備える課金管理手段４２０での課金データベース情報と連携して実行される。
【０１００】
＜撮像装置１００の動作説明＞
図3乃至図7を参照して、本発明における撮像装置１００の実施例の動作を説明する。
【０１０１】
図3及び図4は本発明の実施例における撮像装置１００の主ルーチンのフローチャートを示す。
【０１０２】
図3及び図4を用いて、撮像装置１００の動作を説明する。
【０１０３】
電池交換等の電源投入により、システム制御回路５０はフラグや制御変数等を初期化すると共に、撮像装置１００各部の初期化処理を行う（S１００１）
システム制御回路５０は、電源スイッチ６０の設定位置を判断し、電源スイッチ６０が電源OFFに設定されていたならば（S１００２）、各表示部の表示を終了状態に変更し、フラグや制御変数等を含む必要なパラメータや設定値、設定モードを不揮発性メモリ５６に記録し、電源制御手段８０により画像表示部２８を含む画像処理装置１００各部の不要な電源を遮断する等の所定の終了処理を行った後（S１００３）、S１００２に戻る。
【０１０４】
電源スイッチ６０が電源ONに設定されていたならば（S１００２）、S１００４に進む。
【０１０５】
システム制御回路５０は、電源制御手段８０により電池等により構成される電源８６の残容量や動作情況が撮像装置１００の動作に問題があるか否かを判断し（S１００４）、問題があるならば表示部５４及び或いは画像表示部２８を用いて画像や音声により所定の警告表示を行った後に（S１００５）、S１００２に戻る。
【０１０６】
電源８６に問題が無いならば（S１００４）、S１００６に進む。
【０１０７】
システム制御回路５０は、識別情報５８及び或いは不揮発性メモリ５６の所定領域に格納された課金登録実行フラグの状態を判断し、撮像装置１００が画像情報管理装置（画像ゲートウェイ）４００の提供する各種サービスを享受するために必要な課金情報の登録が行われているかどうかを判断する（S１００６）。
【０１０８】
課金登録実行フラグが解除されていたならば（S１００６）、システム制御回路５０は、まだ課金登録が実行されていないと判断して、画像情報管理装置（画像ゲートウェイ）４００の備える課金管理手段４２０に対して必要な課金管理情報を登録する課金登録処理を実行して（S１００７）、S１００２に戻る。
【０１０９】
この課金登録処理S１００７の詳細は図５を用いて後述する。
【０１１０】
課金登録実行フラグが設定されていたならば（S１００６）、システム制御回路５０は、画像情報管理装置（画像ゲートウェイ）４００からネットワーク７０２、パケット網７００、アンテナ１１２、通信手段１１０を介して、催し開始通知を受信したかどうかを判断する（Ｓ１００８）。
【０１１１】
催し開始通知を受信していなかったならば（Ｓ１００８）、Ｓ１０１５に進む。
【０１１２】
催し開始通知を受信したならば（Ｓ１００８）、システム制御回路５０は、受信した催し開始通知の内容を解析し、受信した催し開始通知に格納場所情報が含まれていなかったならば（Ｓ１００９）、Ｓ１０１０に進む。
【０１１３】
受信した催し開始通知に格納場所情報が含まれていたならば（Ｓ１００９）、システム制御回路５０は、通知された格納場所情報をシステム制御回路５０の内部メモリ及び或いはメモリ５２及び或いは不揮発性メモリ５６及び或いはメモリ３０に記憶して（Ｓ１０１１）、Ｓ１０１２に進む。
【０１１４】
システム制御回路５０は、受信した催し開始通知の内容を解析し、受信した催し開始通知に撮影許可情報が含まれていなかったならば（Ｓ１０１２）、Ｓ１０１０に進む。
【０１１５】
システム制御回路５０は、表示部５４及び或いは画像表示部２８を用いて画像や音声により所定の警告表示を行った後に（S１０１０）、S１００２に戻る。
【０１１６】
受信した催し開始通知に撮影許可情報が含まれていたならば（Ｓ１０１２）、システム制御回路５０は、撮影許可フラグを設定すると共に（Ｓ１０１３）、表示部５４及び或いは画像表示部２８により、催し撮影の有効状態表示を開始して（Ｓ１０１４）、Ｓ１０１８に進む。
【０１１７】
なお、撮影許可フラグの設定状態は、システム制御回路５０の内部メモリ及び或いはメモリ５２に記憶される。
【０１１８】
このように、撮像装置１００は、画像情報管理装置（画像ゲートウェイ）４００から送致された催し開始通知に応じて、撮影動作及び撮影した画像データの送信格納を有効に設定することが可能になる。
【０１１９】
システム制御回路５０は、画像情報管理装置（画像ゲートウェイ）４００からネットワーク７０２、パケット網７００、アンテナ１１２、通信手段１１０を介して、催し終了通知を受信したかどうかを判断する（Ｓ１０１５）。
【０１２０】
催し終了通知を受信していなかったならば（Ｓ１０１５）、Ｓ１０１８に進む。
【０１２１】
催し終了通知を受信したならば（Ｓ１０１５）、システム制御回路５０は、撮影許可フラグの設定を解除すると共に（Ｓ１０１６）、表示部５４及び或いは画像表示部２８による催し撮影の有効状態表示を終了して（Ｓ１０１７）、Ｓ１０１８に進む。
【０１２２】
なお、撮影許可フラグの設定状態は、システム制御回路５０の内部メモリ及び或いはメモリ５２に記憶される。
【０１２３】
このように、撮像装置１００は、画像情報管理装置（画像ゲートウェイ）４００から送致された催し終了通知に応じて、撮影動作及び撮影した画像データの送信格納を禁止に設定することが可能になる。
【０１２４】
システム制御回路５０は、表示部５４及び或いは画像表示部２８を用いて画像や音声により撮像装置１００の各種設定状態の表示を行う（Ｓ１０１８）。
【０１２５】
システム制御回路５０は、シャッタースイッチSW1が押されていないならば（Ｓ１０２１）、Ｓ１００２に戻る。
【０１２６】
シャッタースイッチSW1が押されたならば（Ｓ１０２１）、システム制御回路５０は、システム制御回路５０の内部メモリ及び或いはメモリ５２に記憶された撮影許可フラグの設定状態を判断する（Ｓ１０２２）。
【０１２７】
撮影許可フラグが解除されていたならば（Ｓ１０２２）、表示部５４及び或いは画像表示部２８を用いて画像や音声により所定の警告表示を行った後に（S１０２３）、S１００２に戻る。
【０１２８】
撮影許可フラグが設定されていたならば（Ｓ１０２２）、システム制御回路５０は、測距処理を行って撮影レンズ１０の焦点を被写体に合わせ、測光処理を行って絞り値及びシャッター時間を決定する（Ｓ１０２４）。測光処理に於いて、必要であればフラッシュの設定も行う。
【０１２９】
この測距・測光処理Ｓ１０２４の詳細は図６を用いて後述する。
【０１３０】
シャッタースイッチSW2が押されずに（Ｓ１０２５）、さらにシャッタースイッチSW1も解除されたならば（Ｓ１０２６）、S１００２に戻る。
【０１３１】
シャッタースイッチSW2が押されたならば（Ｓ１０２５）、システム制御回路５０は、撮像素子１２、Ａ／Ｄ変換器１６、、画像処理回路２０、メモリ制御回路２２を介して、或いはＡ／Ｄ変換器から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行する（Ｓ１０２７）。
【０１３２】
この撮影処理Ｓ１０２７の詳細は図７を用いて後述する。
【０１３３】
撮影処理Ｓ１０２７を終えたならば、システム制御回路５０は、メモリ３０に書き込まれた撮影画像データを読み出して、メモリ制御回路２２そして必要に応じて画像処理回路２０を用いて所定の画素補間処理や色変換処理等の現像処理を行い、現像処理を行った画像データをメモリ３０の所定領域に格納して（Ｓ１０２８）、Ｓ１０２９に進む。
【０１３４】
システム制御回路５０は、メモリ３０の所定領域に格納された画像データを読み出し、圧縮・伸長回路３２を用いて、設定したモードに応じた画像圧縮処理を行う圧縮処理を行った後、圧縮処理を行った画像データをメモリ３０の所定領域に格納して（Ｓ１０２９）、Ｓ１０３０に進む。
【０１３５】
システム制御回路５０は、メモリ３０の所定領域に格納された圧縮処理を行った画像データを読み出し、暗号/復号回路３４を用いて所定の暗号化処理を行い（Ｓ１０３０）、識別情報を付加して（Ｓ１０３１）、処理を行った画像データをメモリ３０の所定領域に格納する。
【０１３６】
なお、ステップＳ１０３０において暗号化した画像データは、画像情報管理装置（画像ゲートウェイ）４００が備える暗号/復号手段４２２によって復号することが可能である。
【０１３７】
この際、課金管理手段４２０での課金データベース情報と連携して復号処理が実行される。
【０１３８】
このように、画像情報管理装置（画像ゲートウェイ）４００の課金管理手段４２０での課金管理及び画像格納手段４１８での画像格納管理及び暗号/復号手段４２２での復号処理に連携した暗号化処理を撮像装置１００で行うことにより、撮像装置１００は画像情報管理装置（画像ゲートウェイ）４００が提供する各種サービス、例えば、撮影画像データのアップロード及び或いはダウンロードによる画像管理サービスを享受することが可能となる。
【０１３９】
システム制御回路５０は、システム制御回路５０の内部メモリ及び或いはメモリ５２及び或いは不揮発性メモリ５６及び或いはメモリ３０に記憶された格納場所情報を読出し（Ｓ１０３２）、メモリ３０の所定領域に格納した撮影画像データを、通信手段１１０、アンテナ１１２、パケット網７００、ネットワーク７０２を介して、画像情報管理装置（画像ゲートウェイ）４００に送信する（Ｓ１０３３）。
【０１４０】
システム制御回路５０は、シャッタースイッチSW1が放されるまで（Ｓ１０３４）、現在の処理を繰り返す。
【０１４１】
シャッタースイッチSW1が放されたならば（Ｓ１０３４）、システム制御回路５０は一連の撮影動作を終えて、Ｓ１００２に戻る。
【０１４２】
図５は、図3のS１００７における課金登録処理の詳細なフローチャートを示す。
【０１４３】
システム制御回路５０は、画像表示部２８に課金登録画面を表示して（S１９０１）、S１９０２に進む。
【０１４４】
ここで、撮像装置１００の使用者によって、選択/切り替えスイッチ６６及び決定/実行スイッチ６８、操作部７０等の操作により、入力項目の選択が行われたならば（S１９０２）、システム制御回路５０は、画像表示部２８に表示する入力画面の表示を入力項目の選択に応じて切り替えて（S１９０３）、S１９０４に進む。
【０１４５】
システム制御回路５０は、撮像装置１００の使用者によって、表示した入力画面に対応して選択/切り替えスイッチ６６及び決定/実行スイッチ６８、操作部７０等の操作により入力された情報を受け付け（S１９０４）、受け付けた入力情報に問題が無かったならば（S１９０５）、システム制御回路５０は、システム制御回路５０の内部メモリ或いはメモリ５２に記憶して（S１９０６）、S１９０７に進む。
【０１４６】
続けて次の項目を入力する場合は（S１９０７）、S１９０２に戻って処理を続ける。
【０１４７】
必要な項目の入力が終了したならば（S１９０７）、システム制御回路５０は、識別情報５８から課金登録に必要な機器固有情報を読出すと共に（S１９０８）、ステップS１９０６でシステム制御回路５０の内部メモリ或いはメモリ５２に記憶した課金入力内容を読出して（S１９０９）、通信手段１１０、アンテナ１１２、パケット網７００、ネットワーク７０２を介して、画像情報管理装置（画像ゲートウェイ）４００に機器固有情報及び課金入力内容を送信して課金登録情報送信を行う（S１９１０）。
【０１４８】
ここで、課金登録に用いられる機器固有情報としては、撮像装置１００の製造者コード、機種コード、シリアルナンバー、装備する機能に関する情報、等がある。また、撮像装置１００のこれまでの使用者の登録状態及び或いは撮像装置１００のこれまでの使用状態を伝える撮影履歴情報、等がある。
【０１４９】
ステップS１９１０での課金登録情報送信処理に際して、画像情報管理装置（画像ゲートウェイ）４００からエラー通知が無かったならば（S１９１１）、課金登録処理ルーチンS１００７を終了する。
【０１５０】
画像情報管理装置（画像ゲートウェイ）４００からエラー通知があったならば（S１９１１）、システム制御回路５０は、表示部５４及び或いは画像表示部２８を用いて画像や音声により所定の警告表示を行った後に（S１９１２）、課金登録処理ルーチンS１００７を終了する。
【０１５１】
この課金登録処理を行うことにより、撮像装置１００は画像情報管理装置（画像ゲートウェイ）４００が提供する各種サービスを享受することが可能となる。
【０１５２】
図６は、図４のＳ１０２４における測距・測光処理の詳細なフローチャートを示す。
【０１５３】
システム制御回路５０は、撮像素子１４から電荷信号を読み出し、Ａ／Ｄ変換器１６を介して画像処理回路２０に撮影画像データを逐次読み込む（S１２０１）。この逐次読み込まれた画像データを用いて、画像処理回路２０はTTL（スルー・ザ・レンズ）方式のAE（自動露出）処理、EF（フラッシュプリ発光）処理、AF（オートフォーカス）処理に用いる所定の演算を行っている。
【０１５４】
なお、ここでの各処理は、撮影した全画素数のうちの必要に応じた特定の部分を必要個所分切り取って抽出し、演算に用いている。これにより、 TTL方式のAE、EF、AWB、AFの各処理において、中央重点モード、平均モード、評価モードの各モード等の異なるモード毎に最適な演算を行うことが可能となる。
【０１５５】
画像処理回路２０での演算結果を用いて、システム制御回路５０は露出（AE）が適正と判断されるまで（S１２０２）、露光制御手段４０を用いてAE制御を行う（S１２０３）。
【０１５６】
AE制御で得られた測定データを用いて、システム制御回路５０はフラッシュが必要か否かを判断し（S１２０４）、フラッシュが必要ならばフラッシュフラグをセットし、フラッシュ４８を充電する（S１２０５）。
【０１５７】
露出（AE）が適正と判断したならば（S１２０２）、測定データ及び或いは設定パラメータをシステム制御回路５０の内部メモリ或いはメモリ５２に記憶する。
【０１５８】
画像処理回路２０での演算結果及びAE制御で得られた測定データを用いて、システム制御回路５０はホワイトバランス（AWB）が適正と判断されるまで（S１２０６）、画像処理回路２０を用いて色処理のパラメータを調節してAWB制御を行う（S１２０７）。
【０１５９】
ホワイトバランス（AWB）が適正と判断したならば（S１２０６）、測定データ及び或いは設定パラメータをシステム制御回路５０の内部メモリ或いはメモリ５２に記憶する。
【０１６０】
AE制御及びAWB制御で得られた測定データを用いて、システム制御回路５０は測距（AF）が合焦と判断されるまで（S１２０８）、測距制御手段４２を用いてAF制御を行う（S１２０９）。
【０１６１】
測距（AF）が合焦と判断したならば（S１２０８）、測定データ及び或いは設定パラメータをシステム制御回路５０の内部メモリ或いはメモリ５２に記憶し、測距・測光処理ルーチンＳ１０２４を終了する。
【０１６２】
図７は、図４のＳ１０２７における撮影処理の詳細なフローチャートを示す。
【０１６３】
システム制御回路５０は、システム制御回路５０の内部メモリ或いはメモリ５２に記憶される測光データに従い、露光制御手段４０によって、絞り機能を有するシャッター１２を絞り値に応じて開放して撮像素子１０を露光する（S１３０１、S１３０２）。
【０１６４】
フラッシュ・フラグによりフラッシュ４８が必要か否かを判断し（S１３０３）、必要な場合はフラッシュを発光させる（S１３０４）。
【０１６５】
システム制御回路５０は、測光データに従って撮像素子１２の露光終了を待ち（S１３０５）、シャッター１２を閉じて（S１３０６）、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０に撮影画像のデー  タを書き込む（S１３０７）。
【０１６６】
一連の処理を終えたならば、撮影処理ルーチンＳ１０２７を終了する。
【０１６７】
＜画像情報管理装置４００の動作説明＞
図９を参照して、本発明における画像情報管理装置４００の実施例の動作を説明する。
【０１６８】
図９は本実施例の画像情報管理装置４００の主ルーチンのフローチャートを示す。
【０１６９】
画像情報管理装置４００の電源投入により、制御手段４０２はフラグ、レジスタや制御変数などを初期化し、記録手段４１０の領域の一部に格納されたオペレーティング・システム等の制御プログラムを、バス４１２を介して記憶手段４０４に読み込み実行する。そして、制御手段４０２は、画像情報管理装置４００の各部を初期化する（S２００１）。
【０１７０】
制御手段４０２は、撮像装置１００或いは情報処理装置（クライアントコンピュータ）５００からパケット網７００、ネットワーク７０２、ネットワーク手段４１４を介して、コマンドやデータ等の通知があったかどうかを判断する（S２００２）。
【０１７１】
コマンドやデータ等の通知があったならば（S２００２）、制御手段４０２は、撮像装置１００或いは情報処理装置（クライアントコンピュータ）５００からコマンド及び或いは画像データ及び或いはそれらの付加情報を受信し、記憶手段４０４の所定領域及び或いは記録手段４１０の所定領域に格納する（S２００３）。
【０１７２】
撮像装置１００或いは情報処理装置（クライアントコンピュータ）５００から課金管理手段４２０が備える課金情報データベースへの課金登録を依頼するコマンド及び或いはデータを受信しなかったならば（S２００４）、S２００８に進む。
【０１７３】
撮像装置１００或いは情報処理装置（クライアントコンピュータ）５００から課金管理手段４２０が備える課金情報データベースへの課金登録を依頼するコマンド及び或いはデータを受信したならば（S２００４）、制御手段４０２は、受信した機器固有情報及び或いは課金入力内容を元に、課金管理手段４２０が備える課金情報データベースの所定領域に格納して登録する（S２００５）。
【０１７４】
このように、撮像装置１００或いは情報処理装置（クライアントコンピュータ）５００固有の識別情報を用いて、撮像装置１００或いは情報処理装置（クライアントコンピュータ）５００のアカウントを課金情報データベースに登録することにより、課金管理手段４２０での課金管理及び画像格納手段４１８での画像格納管理及び暗号/復号手段４２２での復号処理に連携した画像情報管理装置（画像ゲートウェイ）４００が提供する各種サービス、例えば、撮影画像データのアップロードによる画像管理サービス、及び或いは、撮影画像データの印刷装置（プリントサービス）８００での印刷サービスを撮像装置１００或いは情報処理装置（クライアントコンピュータ）５００に提供することが可能となる。
【０１７５】
課金データベースへの登録が正常に行われたならば（S２００６）、Ｓ２００２に戻る。
【０１７６】
課金データベースへの登録が正常に行われなかったならば（S２００６）、制御手段４０２は、通信手段４１４、ネットワーク７０２、パケット網７００を介して、撮像装置１００からの課金登録依頼に関するエラー通知を撮像装置１００に、或いは、通信手段４１６、ネットワーク６０２、インターネット６００、ネットワーク６０４を介して情報処理装置（クライアントコンピュータ）５００からの課金登録依頼に関するエラー通知を情報処理装置（クライアントコンピュータ）５００に返答し（S２００７）、S２００２に戻る。
【０１７７】
情報処理装置（クライアントコンピュータ）５００から催し情報管理手段４２４が備える催し情報データベースへの催し設定登録を依頼するコマンド及び或いはデータを受信しなかったならば（S２００８）、S２０１２に進む。
【０１７８】
情報処理装置（クライアントコンピュータ）５００から催し情報管理手段４２４が備える催し情報データベースへの催し設定登録を依頼するコマンド及び或いはデータを受信したならば（S２００８）、制御手段４０２は、催し情報管理手段４２４が備える催し情報データベースの所定領域に、受信した催し設定の格納場所情報、許可期間情報、許可口座(許可アカウント)情報を格納して設定登録し（S２００９、S２０１０、S２０１１）、S２００２に戻る。
【０１７９】
撮像装置１００から画像格納を依頼するコマンド及び或いはデータを受信しなかったならば（S２０１２）、S２０１６に進む。
【０１８０】
撮像装置１００から画像格納を依頼するコマンド及び或いはデータを受信したならば（S２０１２）、制御手段４０２は、受信した画像格納依頼情報が備える許可口座(許可アカウント)と、催し情報管理手段４２４が備える催し情報データベースの所定領域に格納された許可口座(許可アカウント)との照合を行う（S２０１３）。
【０１８１】
許可口座(許可アカウント)の照合を行った結果、撮像装置１００から送られる画像データの格納を許可しても問題無いと判断したならば（S２０１３）、制御手段４０２は、画像格納手段４１８の所定領域に撮像装置１００から受信した画像データを格納して（Ｓ２０１４）、S２００２に戻る。
【０１８２】
許可アカウントの照合を行った結果、撮像装置１００から送られる画像データの格納を許可するには問題があると判断したならば（S２０１３）、制御手段４０２は、通信手段４１４、ネットワーク７０２、パケット網７００を介して、撮像装置１００からの画像格納依頼に関するエラー通知を撮像装置１００に送信して（Ｓ２０１５）、S２００２に戻る。
【０１８３】
制御手段４０２は、催し情報管理手段４２４が備える催し情報データベース許可口座(許可アカウント)が登録されていなかったならば（S２０１６）、S２００２に戻る。
【０１８４】
制御手段４０２は、催し情報管理手段４２４が備える催し情報データベース許可口座(許可アカウント)が登録されていたならば（S２０１６）、制御手段４０２は、登録されている許可口座(許可アカウント)に関連して、催し情報管理手段４２４が備える催し情報データベースに登録された許可期間情報の設定状態を判断する（S２０１７）。
【０１８５】
許可期間情報の設定状態を判断した結果、設定された催し情報の許可期間に相当していたならば（S２０１７）、制御手段４０２は、通信手段４１４、ネットワーク７０２、パケット網７００を介して、登録されている許可口座(許可アカウント)に相当する撮像装置１００に対して、催し開始通知を送信して（S２０１８）、S２００２に戻る。
【０１８６】
撮像装置１００に送信する催し開始通知には、撮像装置１００における撮影許可情報及び或いは撮影画像データ送信許可情報などを含むことが出来る。
【０１８７】
許可期間情報の設定状態を判断した結果、設定された催し情報の許可期間に相当していなかったならば（S２０１７）、制御手段４０２は、通信手段４１４、ネットワーク７０２、パケット網７００を介して、登録されている許可口座(許可アカウント)に相当する撮像装置１００に対して、催し終了通知を送信して（S２０１９）、S２００２に戻る。
【０１８８】
撮像装置１００に送信する催し終了通知には、撮像装置１００における撮影禁止情報及び或いは撮影画像データ送信禁止情報などを含むことが出来る。
【０１８９】
なお、催し開始通知及び催し終了通知の送信は、撮像装置１００と画像情報管理装置４００との間の情報伝達状況に応じて、必要なタイミングで必要な回数を行うようにすれば良い。
【０１９０】
＜情報処理装置５００の動作説明＞
図１１を参照して、本発明における情報処理装置５００の実施例の動作を説明する。
【０１９１】
図１１は本実施例の情報処理装置５００の主ルーチンのフローチャートを示す。
【０１９２】
情報処理装置５００の電源投入により、制御手段５０２はフラグ、レジスタや制御変数などを初期化し、記録手段５１０の領域の一部に格納されたオペレーティング・システム等の制御プログラムを、バス５１２を介して記憶手段５０４に読み込み実行する。そして、制御手段５０２は、情報処理装置５００の各部を初期化する（Ｓ３００１）。
【０１９３】
制御手段５０２は、記憶手段５０４及び或いは記録手段５１０の所定領域に格納された課金登録実行フラグの状態を判断し、情報処理装置５００が画像情報管理装置（画像ゲートウェイ）４００の提供する各種サービスを享受するために必要な課金情報の登録が行われているかどうかを判断する（S３００２）。
【０１９４】
課金登録実行フラグが解除されていたならば（S３００２）、制御手段５０２は、まだ課金登録が実行されていないと判断して、画像情報管理装置（画像ゲートウェイ）４００の備える課金管理手段４２０に対して必要な課金管理情報を登録する課金登録処理を実行して（S３００３）、S３００２に戻る。
【０１９５】
この課金登録処理S３００３の詳細は図１２を用いて後述する。
【０１９６】
課金登録実行フラグが設定されていたならば（S３００２）、制御手段５０２は、操作手段５０８により入力された内容を判断する（Ｓ３００４）。
【０１９７】
操作手段５０８により、催し設定に関する入力が行われたならば（Ｓ３００４）、Ｓ３００６に進む。
【０１９８】
操作手段５０８により、催し設定以外の入力が行われたならば（Ｓ３００４）、入力に応じた処理を実行して（Ｓ３００５）、Ｓ３００２に戻る。
【０１９９】
制御手段５０２は、操作手段５０８により格納場所の入力が行われたならば（Ｓ３００６）、入力された格納場所情報を記憶手段５０４及び或いは記録手段５１０に設定して（Ｓ３００８）、Ｓ３００９に進む。
【０２００】
操作手段５０８により格納場所の入力が行われなかったならば（Ｓ３００６）、Ｓ３００７に進む。
【０２０１】
制御手段５０２は、操作手段５０８により許可期間の入力が行われたならば（Ｓ３００９）、入力された許可期間情報を記憶手段５０４及び或いは記録手段５１０に設定して（Ｓ３０１０）、Ｓ３０１１に進む。
【０２０２】
操作手段５０８により許可期間の入力が行われなかったならば（Ｓ３００９）、Ｓ３００７に進む。
【０２０３】
制御手段５０２は、操作手段５０８により許可口座(許可アカウント)の入力が行われたならば（Ｓ３０１１）、入力された許可口座(許可アカウント)情報を記憶手段５０４及び或いは記録手段５１０に設定して（Ｓ３０１２）、Ｓ３０１３に進む。
【０２０４】
操作手段５０８により許可口座(許可アカウント)の入力が行われなかったならば（Ｓ３０１１）、Ｓ３００７に進む。
【０２０５】
制御手段５０２は、表示手段５０６を用いて画像や音声により所定の警告表示を行った後に（S３００７）、S３００２に戻る。
【０２０６】
制御手段５０２は、操作手段５０８により、一連の催し設定に関する入力設定をキャンセルする選択が行われたならば（Ｓ３０１３）、Ｓ３００２に戻る。
【０２０７】
引き続き、催し設定入力を行うならば（Ｓ３０１４）、Ｓ３００６に戻る。
【０２０８】
一連の設定をキャンセルする入力が行われなかったならば（Ｓ３０１３）、Ｓ３０１４に進む。
【０２０９】
制御手段５０２は、操作手段５０８により、一連の入力設定をし終える入力が行われたならば（Ｓ３０１４）、設定された情報を、ネットワーク６０４、インターネット６００、ネットワーク６０２を介して、画像情報管理装置(画像ゲートウェイ)４００に送信し（Ｓ３０１５）、送信を終えたならば、Ｓ３００２に戻る。
【０２１０】
図１２は、図１１のＳ３００３における課金登録処理の詳細なフローチャートを示す。
【０２１１】
制御手段５０２は、表示手段５０６に課金登録画面を表示して（Ｓ３１０１）、Ｓ３１０２に進む。
【０２１２】
ここで、情報処理装置５００の使用者によって、操作手段５０８の操作により、入力項目の選択が行われたならば（Ｓ３１０２）、制御手段５０２は、表示手段５０６に表示する入力画面の表示を入力項目の選択に応じて切り替えて（Ｓ３１０３）、Ｓ３１０４に進む。
【０２１３】
制御手段５０２は、情報処理装置５００の使用者によって、表示した入力画面に対応して操作手段５０８の操作により入力された情報を受け付け（Ｓ３１０４）、受け付けた入力情報に問題が無かったならば（Ｓ３１０５）、制御手段５０２は、制御手段５０２の内部メモリ或いは記憶手段５０４に記憶して（Ｓ３１０６）、Ｓ３１０７に進む。
【０２１４】
続けて次の項目を入力する場合は（Ｓ３１０７）、Ｓ３１０２に戻って処理を続ける。
【０２１５】
必要な項目の入力が終了したならば（Ｓ３１０７）、制御手段５０２は、記録手段５１０から課金登録に必要な機器固有情報を読出すと共に（Ｓ３１０８）、ステップＳ３１０６で制御手段５０２の内部メモリ或いは記憶手段５０４に記憶した課金入力内容を読出して（Ｓ３１０９）、通信手段５１４、ネットワーク６０４を介して、画像情報管理装置（画像ゲートウェイ）４００に機器固有情報及び課金入力内容を送信して課金登録情報送信を行う（Ｓ３１１０）。
【０２１６】
ここで、課金登録に用いられる機器固有情報としては、情報処理装置５００の製造者コード、機種コード、シリアルナンバー、装備する機能に関する情報、等がある。また、情報処理装置５００のこれまでの使用者の登録状態及び或いは情報処理装置５００のこれまでの使用状態を伝える使用履歴情報、等がある。
【０２１７】
ステップＳ３１１０での課金登録情報送信処理に際して、画像情報管理装置（画像ゲートウェイ）４００からエラー通知が無かったならば（Ｓ３１１１）、課金登録処理ルーチンＳ３００３を終了する。
【０２１８】
画像情報管理装置（画像ゲートウェイ）４００からエラー通知があったならば（Ｓ３１１１）、制御手段５０２は、表示手段５０６を用いて画像や音声により所定の警告表示を行った後に（Ｓ３１１２）、課金登録処理ルーチンＳ３００３を終了する。
【０２１９】
この課金登録処理を行うことにより、情報処理装置５００は画像情報管理装置（画像ゲートウェイ）４００が提供する各種サービスを享受することが可能となる。
【０２２０】
以上のように、本発明の実施例によれば、撮像装置１００は、画像情報管理装置（画像ゲートウェイ）４００から送致された催し開始通知に応じて、撮影動作及び撮影した画像データの送信格納を有効に設定することが可能になる。
【０２２１】
また、画像情報管理装置（画像ゲートウェイ）４００から送致された催し終了通知に応じて、撮影動作及び撮影した画像データの送信格納を禁止に設定することが可能になる。
【０２２２】
以上、図１乃至図１２を用いて本発明の実施例の説明を行った。
【０２２３】
なお、実施例の説明においては、情報処理装置（クライアントコンピュータ）５００から画像情報管理装置（画像ゲートウェイ）４００に通知登録された催し設定情報に応じて、画像情報管理装置（画像ゲートウェイ）４００が撮像装置１００に催し開始通知或いは催し終了通知を行うと共に撮像装置１００から送信される画像データの格納を許可或いは禁止するとして説明したが、図１３に全体システム構成図の一例を示すように、情報処理装置（クライアントコンピュータ）５００の代わりに撮像装置２００から画像情報管理装置（画像ゲートウェイ）４００に通知登録された催し設定情報に応じて、画像情報管理装置（画像ゲートウェイ）４００が撮像装置１００に催し開始通知或いは催し終了通知を行うと共に撮像装置１００から送信される画像データの格納を許可或いは禁止することが出来るようにしても勿論問題無い。
【０２２４】
なお、実施例の説明に於いては、撮像装置１００、画像情報管理装置（画像ゲートウェイ）４００、情報処理装置（クライアントコンピュータ）５００をそれぞれ1台の構成として説明したが、撮像装置１００が単数或いは複数の構成、画像情報管理装置（画像ゲートウェイ）４００が単数或いは複数の構成、情報処理装置（クライアントコンピュータ）５００が単数或いは複数の構成の何れの組み合わせであっても構わない。
【０２２５】
そして、携帯電話基地局を含むパケット網７００に関しても、単数或いは複数の何れの構成であっても構わない。
【０２２６】
特に、複数の撮像装置が画像情報管理装置（画像ゲートウェイ）４００を介して催し情報を共有するように催し設定を行えば、関係するメンバー間で一同に撮影を行い、そして撮影した画像データを一同に送信格納して、催しを共有することが可能となる。
【０２２７】
これにより、お祭りや運動会などの行事、親しい仲間での集い、企業によるイベント等の際に、デジタルカメラ等の撮像装置による写真撮影を通して、催しに参加したメンバー間において撮影画像データを介した楽しみを共有することが可能となる。
【０２２８】
また、実施例の説明においては、情報処理装置（クライアントコンピュータ）５００から画像情報管理装置（画像ゲートウェイ）４００に通知登録された催し設定情報に応じて、画像情報管理装置（画像ゲートウェイ）４００が撮像装置１００に催し開始通知或いは催し終了通知を行うと共に撮像装置１００から送信される画像データの格納を許可或いは禁止するとして説明したが、画像情報管理装置（画像ゲートウェイ）４００自身が催し設定情報を策定し、策定した催し設定情報に基づいて撮像装置１００に催し開始通知或いは催し終了通知を行うようにしても勿論問題無い。
【０２２９】
なお、記録媒体２００は、PCMCIA（Personal Computer Memory Card International Association）カードやCF（コンパクトフラッシュ（登録商標））カード、MMC（マルチメディアカード）、SDカード等のメモリカード、ハードディスク等だけでなく、マイクロDAT、光磁気ディスク、CD-RやCD-WR等の光ディスク、DVD等の相変化型光ディスク等で構成されていても勿論問題無い。
【０２３０】
また、記録媒体２００がメモリカードとハードディスク等が一体となった複合媒体であっても勿論問題無い。さらに、その複合媒体から一部が着脱可能な構成としても勿論問題無い。
【０２３１】
そして、実施例の説明に於いては、記録媒体２００は撮像装置１００に内蔵しているとして説明したが、撮像装置１００と分離して任意に接続可能になっていても勿論問題無い。
【０２３２】
また、撮像装置１００に記録媒体２００が、単数或いは複数の任意の個数、内蔵或いは接続可能な構成であっても構わない。
【０２３３】
（他の実施形態）
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
この場合、記憶媒体から読み出されたプログラムコード自体が前述した実施形態の機能を実現することになり、そのプログラムコードを記憶した記憶媒体は本発明を構成することになる。
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭ等を用いることが出来る。
また、コンピュータが読み出したプログラムコードを実行することにより、前述した実施形態の機能が実現されるだけでなく、そのプログラムコードの指示に基づき、コンピュータ上で稼動しているＯＳ(オペレーティングシステム)などが実際の処理の一部又は全部を行い、その処理によって前述した実施形態の機能が実現される場合も含まれることは言うまでもない。
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるCPU等が実際の処理の一部又は全部を行い、その処理によって前述した実施形態の機能が実現される場合も含まれることは言うまでもない。
【図面の簡単な説明】
【０２３４】
【図１】本発明の実施例１の全体構成ブロック図である。
【図２】本発明の撮像装置の構成ブロック図である。
【図３】本実施例における撮像装置の主ルーチンのフローチャートの一部である。
【図４】本実施例における撮像装置の主ルーチンのフローチャートの一部である。
【図５】本実施例における撮像装置の課金登録処理ルーチンのフローチャートである。
【図６】本実施例における撮像装置の測距・測光処理ルーチンのフローチャートである。
【図７】本実施例における撮像装置の撮影処理ルーチンのフローチャートである。
【図８】本発明の画像情報管理装置（画像ゲートウェイ）の構成ブロック図である。
【図９】本実施例における画像情報管理装置（画像ゲートウェイ）の主ルーチンのフローチャートである。
【図１０】本実施例の情報処理装置（クライアントコンピュータ）の構成ブロック図である。
【図１１】本実施例における情報処理装置（クライアントコンピュータ）の主ルーチンのフローチャートである。
【図１２】本実施例における撮像装置の課金登録処理ルーチンのフローチャートである。
【図１３】本発明の他の実施例の全体構成ブロック図である。
【図１】
2005167448.tif 000003
【図２】
2005167448.tif 000004
【図３】
2005167448.tif 000005
【図４】
2005167448.tif 000006
【図５】
2005167448.tif 000007
【図６】
2005167448.tif 000008
【図７】
2005167448.tif 000009
【図８】
2005167448.tif 000010
【図９】
2005167448.tif 000011
【図１０】
2005167448.tif 000012
【図１１】
2005167448.tif 000013
【図１２】
2005167448.tif 000014
【図１３】
2005167448.tif 000015